(57)【要約】【課題】ハードウェア資源を有効的に活用して利便性を向上させることのできる画像処理システムを提供する。【解決手段】装置自身に関する情報を表示する第１の情報表示手段（第１の操作パネル１００）を少なくとも備える第１の画像処理装置（プリンタＰＲ１）と、装置自身に関する情報を表示する第２の情報表示手段（第２の操作パネル２００）を少なくとも備え、第１の画像処理装置と接続される第２の画像処理装置（スキャナＳＣ１）と、表示機能に関する情報を取得する取得手段（取得部１０１、２０１）と、取得結果に応じて第１の表示手段または第２の表示手段を選択する選択手段（選択部１０２、２０２）と、選択手段で選択された第１の表示手段または第２の表示手段を共用される表示手段として、各装置に関する情報の表示を制御する制御手段（制御部１０４、２０４）とを少なくとも備える。【選択図】図２
2010187226.tif 000002
【特許請求の範囲】
【請求項１】
装置自身に関する情報を表示する第１の情報表示手段を少なくとも備える１または２以上の第１の画像処理装置と、
装置自身に関する情報を表示する第２の情報表示手段を少なくとも備え、通信手段を介して前記第１の画像処理装置と接続される１または２以上の第２の画像処理装置と、
前記第１の表示手段および前記第２の表示手段の表示機能に関する情報を取得する取得手段と、
該取得手段による取得結果に応じて前記第１の表示手段または前記第２の表示手段を選択する選択手段と、
前記第１の画像処理装置および前記第２の画像処理装置について、前記選択手段で選択された前記第１の表示手段または前記第２の表示手段を共用される表示手段として、前記各装置に関する情報の表示を制御する制御手段と、
を少なくとも備えることを特徴とする画像処理システム。
【請求項２】
前記第１の表示手段および前記第２の表示手段は、表示機能と共に各装置が有する機能を操作する操作機能を備える操作パネルで構成されることを特徴とする請求項１に記載の画像処理システム。
【請求項３】
前記表示機能に関する情報は、前記操作パネルの表示領域の面積、画素密度、表示色数、解像度に関する情報の少なくとも一つを含むことを特徴とする請求項２に記載の画像処理システム。
【請求項４】
前記表示機能に関する情報は、装置識別情報、イメージグラフィック情報、表示文字コード情報の少なくとも一つを含むことを特徴とする請求項２または請求項３の何れかに記載の画像処理システム。
【請求項５】
前記制御手段は、
前記第１の画像処理装置および前記第２の画像処理装置が備える操作系をエミュレートするために予め設定されるエミュレーション情報に基づいて表示制御および操作制御することを特徴とする請求項１から請求項４の何れかに記載の画像処理システム。
【請求項６】
前記エミュレーション情報は、前記第１の画像処理装置または前記第２の画像処理装置が備える格納手段に格納されることを特徴とする請求項５に記載の画像処理システム。
【請求項７】
前記エミュレーション情報は、前記通信手段を介して接続される外部記憶装置に格納されることを特徴とする請求項５に記載の画像処理システム。
【請求項８】
前記取得手段で取得された前記第１の表示手段および前記第２の表示手段の表示機能に関する情報を取得元に関する情報と関連付けさせて記憶する記憶手段をさらに備えることを特徴とする請求項１から請求項７の何れかに記載の画像処理システム。
【請求項９】
前記制御手段は、
前記共用される表示手段としての前記第１の表示手段または前記第２の表示手段に表示されるエミュレートされた操作系の操作方法に関する情報を表示させることを特徴とする請求項５から請求項８の何れかに記載の画像処理システム。
【請求項１０】
第１の表示手段および第２の表示手段の表示機能に関する情報を取得する取得処理過程と、
該取得処理過程による取得結果に応じて第１の表示手段または第２の表示手段を選択する選択処理過程と、
第１の画像処理装置および第２の画像処理装置について、前記選択処理過程で選択された前記第１の表示手段または前記第２の表示手段を共用するように、前記各装置に関する情報の表示を制御する制御処理過程と、
を演算手段に実行させることを特徴とする表示制御プログラム。
【発明の詳細な説明】
【技術分野】
【０００１】
本発明は、画像処理システムおよび表示制御プログラムに関するものである。
【背景技術】
【０００２】
最近、スキャナにプリンタを直接接続あるいはネットワーク接続し、スキャナで読み取った画像をコピージョブとしてプリンタに送信することで、パーソナルコンピュータを介さずにコピー機能を実現するシステムが提案されている。
【０００３】
このようなシステムにおいては、スキャナに接続されるプリンタの機種は一定ではなく、その機能については種々のものが接続され得る。
【０００４】
スキャナに接続されたプリンタは、予め決められていない個々の機能や仕様が異なるため、システムとして可能な機能を特定できず、操作パネルの操作内容も異なる。
【０００５】
プリンタおよびスキャナには、双方にオペレーションパネルがあるが、プリンタ操作パネルは、プリンタの設定や情報表示が主であり、一般ユーザが使用することは少ない反面、プリントサービスを使用する場合には操作が難しいという難点があった。
【０００６】
また、一般的にコピー動作を指示する際には、操作性が比較的良いスキャナ側のＧＵＩパネルの操作画面で統一的に操作ができるようにすることが多いが、プリンタのパネルを使用していたユーザにとっては、操作方法が異なり、操作に迷う場合があった。
【０００７】
特開２００４−３２２４７５号公報には、デジタルカメラとプリンタを接続した場合の操作方法の異なる装置接続において、個々の装置で操作と同様にできる技術が開示されている。
【０００８】
特開２００２−８４３８８号公報には、外部記憶装置にあるサービス、メンテナンス情報を取得して表示装置に表示する技術が開示されている。
【特許文献１】特開２００４−３２２４７５号公報
【特許文献２】特開２００２−８４３８８号公報
【発明の開示】
【発明が解決しようとする課題】
【０００９】
本発明は、ハードウェア資源を有効的に活用して利便性を向上させることのできる画像処理システムおよび表示制御プログラムを提供することを目的とする。
【課題を解決するための手段】
【００１０】
前記課題を解決するため、請求項１の発明に係る画像処理システムは、装置自身に関する情報を表示する第１の情報表示手段を少なくとも備える１または２以上の第１の画像処理装置と、装置自身に関する情報を表示する第２の情報表示手段を少なくとも備え、通信手段を介して前記第１の画像処理装置と接続される１または２以上の第２の画像処理装置と、前記第１の表示手段および前記第２の表示手段の表示機能に関する情報を取得する取得手段と、該取得手段による取得結果に応じて前記第１の表示手段または前記第２の表示手段を選択する選択手段と、前記第１の画像処理装置および前記第２の画像処理装置について、前記選択手段で選択された前記第１の表示手段または前記第２の表示手段を共用される表示手段として、前記各装置に関する情報の表示を制御する制御手段とを少なくとも備えることを特徴とする。
【００１１】
請求項２の発明に係る画像処理システムは、請求項１に記載の発明について、前記第１の表示手段および前記第２の表示手段は、表示機能と共に各装置が有する機能を操作する操作機能を備える操作パネルで構成されることを特徴とする。
【００１２】
請求項３の発明に係る画像処理システムは、請求項２に記載の発明について、前記表示機能に関する情報は、前記操作パネルの表示領域の面積、画素密度、表示色数、解像度に関する情報の少なくとも一つを含むことを特徴とする。
【００１３】
請求項４の発明に係る画像処理システムは、請求項２または請求項３の何れかに記載の発明について、前記表示機能に関する情報は、装置識別情報、イメージグラフィック情報、表示文字コード情報の少なくとも一つを含むことを特徴とする。
【００１４】
請求項５の発明に係る画像処理システムは、請求項１から請求項４の何れかに記載の発明について、請求項１から請求項４の何れかに記載の発明について、前記制御手段は、前記第１の画像処理装置および前記第２の画像処理装置が備える操作系をエミュレートするために予め設定されるエミュレーション情報に基づいて表示制御および操作制御することを特徴とする。
【００１５】
請求項６の発明に係る画像処理システムは、請求項５に記載の発明について、前記エミュレーション情報は、前記第１の画像処理装置または前記第２の画像処理装置が備える格納手段に格納されることを特徴とする。
【００１６】
請求項７の発明に係る画像処理システムは、請求項５に記載の発明について、前記エミュレーション情報は、前記通信手段を介して接続される外部記憶装置に格納されることを特徴とする。
【００１７】
請求項８の発明に係る画像処理システムは、請求項１から請求項７の何れかに記載の発明について、前記取得手段で取得された前記第１の表示手段および前記第２の表示手段の表示機能に関する情報を取得元に関する情報と関連付けさせて記憶する記憶手段をさらに備えることを特徴とする。
【００１８】
請求項９の発明に係る画像処理システムは、請求項５から請求項８の何れかに記載の発明について、前記制御手段は、前記共用される表示手段としての前記第１の表示手段または前記第２の表示手段に表示されるエミュレートされた操作系の操作方法に関する情報を表示させることを特徴とする。
【００１９】
請求項１０の発明に係る表示制御プログラムは、第１の表示手段および第２の表示手段の表示機能に関する情報を取得する取得処理過程と、該取得処理過程による取得結果に応じて第１の表示手段または第２の表示手段を選択する選択処理過程と、第１の画像処理装置および第２の画像処理装置について、前記選択処理過程で選択された前記第１の表示手段または前記第２の表示手段を共用するように、前記各装置に関する情報の表示を制御する制御処理過程とを演算手段に実行させることを特徴とする。
【発明の効果】
【００２０】
本発明によれば以下の効果を奏することができる。
【００２１】
すなわち、請求項１に記載の発明によれば、本構成を有していない場合に比較して、第１の表示手段または第２の表示手段を共用される表示手段として各装置に関する情報の表示を行うので、ハードウェア資源を有効的に活用して利便性を向上させることができるという効果がある。
【００２２】
請求項２に記載の発明によれば、本構成を有していない場合に比較して、第１の表示手段および第２の表示手段は、表示機能と共に各装置が有する機能を操作する操作機能を備える操作パネルで構成され、ハードウェア資源を有効的に活用して利便性を向上させることができる。
【００２３】
請求項３に記載の発明によれば、本構成を有していない場合に比較して、共用により適した表示手段を選択することができる。
【００２４】
請求項４に記載の発明によれば、本構成を有していない場合に比較して、共用により適した表示手段を選択することができる。
【００２５】
請求項５に記載の発明によれば、本構成を有していない場合に比較して、第１の画像処理装置および第２の画像処理装置が備える操作系をエミュレートするので、ハードウェア資源を有効的に活用して利便性を一層向上させることができる。
【００２６】
請求項６に記載の発明によれば、本構成を有していない場合に比較して、ハードウェア資源を有効的に活用して利便性を一層向上させることができる。
【００２７】
請求項７に記載の発明によれば、本構成を有していない場合に比較して、ハードウェア資源を有効的に活用して利便性を一層向上させることができる。
【００２８】
請求項８に記載の発明によれば、本構成を有していない場合に比較して、ハードウェア資源を有効的に活用して利便性を一層向上させることができる。
【００２９】
請求項９に記載の発明によれば、本構成を有していない場合に比較して、エミュレートされた操作系の操作方法に関する情報を表示するので、ハードウェア資源を有効的に活用すると共に、操作ミスを防止して利便性を一層向上させることができる。
【００３０】
請求項１０に記載の発明によれば、本構成を有していない場合に比較して、第１の表示手段または第２の表示手段を共用される表示手段として各装置に関する情報の表示を行うので、ハードウェア資源を有効的に活用して利便性を向上させることができるという効果がある。
【発明を実施するための最良の形態】
【００３１】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３２】
図１から図１４を参照して、本発明についての実施の形態に係る画像処理システムＳ１について説明する。
【００３３】
図１および図２に示すように、画像処理システムＳ１は、装置自身に関する情報を表示する機能と共に操作する機能を備えたタッチパネル等で構成される第１の操作パネル１００（第１の情報表示手段の一例）を少なくとも備えるプリンタＰＲ１（第１の画像処理装置の一例）と、装置自身に関する情報を表示する機能と共に操作する機能を備えたタッチパネル等で構成される第２の操作パネル２００（第２の情報表示手段の一例）を少なくとも備え、ＬＡＮ等のネットワークＮ（通信手段の一例）を介して第１の画像処理装置ＰＲ１と接続されるスキャナＳＣ１（第２の画像処理装置の一例）と、プリンタＰＲ１およびスキャナＳＣ１が備える操作系をエミュレートするために予め設定されるエミュレーション情報を格納するサーバＳＡ（外部記憶装置の一例）とを少なくとも備える。
【００３４】
プリンタＰＲ１およびスキャナＳＣ１について、本発明と直接関係しない構成については図示および説明を省略する。
【００３５】
なお、本実施の形態では、プリンタＰＲ１およびスキャナＳＣ１は、それぞれ１台がネットワークＮに接続されるが、これに限らず、それぞれ２台以上を接続する場合であってもよい。
【００３６】
また、プリンタＰＲ１の印刷方式は、特には限定されず、レーザプリンタ、フルカラープリンタ、複合機、インクジェット方式のプリンタ等の何れであってもよい。
【００３７】
また、スキャナＳＣ１の読み取り方式も特には限定されず、Ｃｈａｒｇｅ  Ｃｏｕｐｌｅｄ  Ｄｅｖｉｃｅｓ（ＣＣＤ）方式、Ｃｏｎｔａｃｔ  Ｉｍａｇｅ  Ｓｅｎｓｏｒ（ＣＩＳ）方式等の何れであってもよい。
【００３８】
また、図１においては、ネットワークＮの中継器としてルーター３００を設けているが、本発明においては必須ではない。
【００３９】
また、プリンタＰＲ１とスキャナＳＣ１は、ネットワークＮ経由の外に、ローカル線（ＵＳＢインタフェースを介したＵＳＢケーブル等）４００でも接続されているが、本発明においては、少なくとも一方で接続されていれば足りる。
【００４０】
また、特に限定されるものではないが、本実施の形態においては、スキャナＳＣ１が備える第２の操作パネル２００の方が、プリンタＰＲ１が備える第１の操作パネル１００よりも表示領域の面積、画素密度、表示色数、解像度等において機能的に優れているものとする。
【００４１】
なお、第１の操作パネル１００と第２の操作パネル２００の機能あるいは性能の優劣は、表示機能に関する情報として、上記の表示領域の面積、画素密度、表示色数、解像度等の情報を取得して比較してもよいし、或いは装置識別情報、イメージグラフィック情報、表示文字コード情報の少なくとも一つを含む情報に基づいて比較してもよい。
【００４２】
これらの表示機能に関する情報をネットワークＮを介して取得するために、プリンタＰＲ１およびスキャナＳＣ１は、取得部１０１、２０１（手段手段の一例）をそれぞれ備えている。
【００４３】
なお、上記の例では、プリンタＰＲ１およびスキャナＳＣ１は、表示する機能と共に操作する機能を備えたタッチパネル等を備える場合について述べたが、これに限らず、プリンタＰＲ１またはスキャナＳＣ１の一方の表示手段が、ＬＥＤ等のセグメント表示あるいはＬＥＤ等の点灯、点滅による表示のみである場合を含む。
【００４４】
また、プリンタＰＲ１およびスキャナＳＣ１は、各取得部１０１、２０１による取得結果に応じて第１の操作パネル１００または第２の操作パネル２００を選択する選択部１０２、２０２（選択手段の一例）をそれぞれ備えている。
【００４５】
プリンタＰＲ１およびスキャナＳＣ１は、選択部１０２、２０２で選択された第１の操作パネル１００または第２の操作パネル２００を共用される表示手段として、各装置に関する情報の表示を制御するマイクロコンピュータ等で構成される制御部１０４（制御手段の一例）をそれぞれ備えている。
【００４６】
上述のように、本実施の形態においては、第２の操作パネル２００の方が機能的、性能的に第１の操作パネル１００を上回っているので、結果的には、プリンタＰＲ１およびスキャナＳＣ１の何れにおいても第２の操作パネル２００を共用の表示手段として用いることとなる。
【００４７】
ここで、スキャナＳＣ１が、当該スキャナＳＣ１に関する情報を第２の操作パネル２００に表示する場合には、通常動作の制御と同じである。
【００４８】
一方、スキャナＳＣ１の第２の操作パネル２００を用いてプリンタＰＲ１の情報を表示させる場合には、プリンタＰＲ１の操作系を第２の操作パネル２００の表示機能を用いてエミュレートする必要がある。
【００４９】
なお、スキャナＳＣ１の第２の操作パネル２００は、プリンタＰＲ１の操作系をエミュレートするために、いわゆるＧＵＩ（Ｇｒａｐｈｉｃａｌ  Ｕｓｅｒ  Ｉｎｔｅｒｆａｃｅ）を備えている。
【００５０】
ここで、ＧＵＩとは、ユーザに対する情報の表示にグラフィックを多用し、大半の基礎的な操作をマウスなどのポインティングデバイスによって行なうことができるユーザインターフェースのことをいう。なお、タッチパネルにおいては、マウス等を要さずに、所望の表示箇所を指やタッチペン（スタイラス）等で押圧することにより操作できるようになっている。
【００５１】
制御部１０４、２０４は、プリンタＰＲ１およびスキャナＳＣ１が備える操作系をエミュレートするために予め設定されるエミュレーション情報に基づいて表示制御および操作制御を行う。
【００５２】
エミュレーション情報は、プリンタＰＲ１またはスキャナＳＣ１が備えるハードディスク装置や不揮発性メモリ等で構成される格納部１０３（格納手段の一例）、またはネットワークＮを介して接続されるサーバＳＡ（外部記憶手段の一例）に格納されている。
【００５３】
また、プリンタＰＲ１およびスキャナＳＣ１は、取得部１０１、２０１で取得された第１の操作パネル１００または第２の操作パネル２００の表示機能に関する情報を取得元（プリンタＰＲ１またはスキャナＳＣ１）に関する情報（例えば、プリンタ名、スキャナ名やＩＰアドレス等の識別情報など）と関連付けさせて記憶する記憶部１０５、２０５（記憶手段）をそれぞれ備えている。
【００５４】
これにより、接続確認時に、記憶部１０５、２０５上の識別情報と一致した場合には、新たに情報を取得しないようにして、処理速度が向上される。
【００５５】
また、制御部１０４、２０４は、共用される表示手段としての第１の操作パネル１００または第２の操作パネル２００に表示されるエミュレートされた操作系の操作方法に関する情報を表示させるようにできる。
【００５６】
これにより、ユーザは、ガイド情報等を参照して、エミュレートされた操作系を操作することができるので、操作ミスが防止され、利便性が一層向上される。
【００５７】
次に、上記構成の画像処理システムＳ１の動作について説明する。
【００５８】
なお、説明を簡略化するために、スキャナＳＣ１側がプリンタＰＲ１側の情報を取得して制御する場合に限定して説明する。
【００５９】
プリンタＰＲ１とスキャナＳＣ１とが、ＵＳＢケーブル４００で接続されている場合には、双方の装置が接続を確認した時点で、スキャナＳＣ１はプリンタＰＲ１の情報を取得部２０１が取得する。
【００６０】
また、プリンタＰＲ１とスキャナＳＣ１とが、ネットワークＮを介して接続される場合には、スキャナＳＣ１側でプリンタＰＲ１を特定し、接続を確認した時点で、同様に取得部２０１が情報を取得する。
【００６１】
取得された情報に基づいて、プリンタＰＲ１が、プリンタ操作パネル情報（表示手段の表示機能に関する情報の一例）を有する装置であるか否かを判別し、さらに、スキャナＳＣ１の記憶部２０５にある情報と比較して、異なる装置である場合には、情報取得のプロセスに移る。
【００６２】
また、過去に接続したプリンタと同じものがあれば、新たに情報は取得しない。
【００６３】
新規のプリンタである場合において、プリンタ操作パネル情報を持つプリンタである場合には、スキャナＳＣ１は、プリンタ操作パネル情報を取得し、プリンタの識別情報と共に、記憶部２０５に記憶する。
【００６４】
一方、プリンタ操作パネル情報を持たないプリンタである場合には、サーバＳＡにアクセスし、対応するプリンタのプリンタ操作パネル情報を取得し、装置の識別情報とともに、記憶部２０５に記憶する。
【００６５】
ここで、プリンタ操作パネル情報には、操作パネルイメージグラフィック情報、キー判別時の送信すべきデータ、使用する表示文字コードテーブル情報が含まれる。（図３参照）。
【００６６】
次いで、プリンタ接続が認識されると、スキャナＳＣ１の第２の操作パネル２００には、例えば図４に示すような選択メニューが表示される。
【００６７】
図４に示す例では、「スキャナパネル表示を選択」、「接続プリンタパネル表示を選択」、「プリントサービスを選択」が表示され、ユーザ（操作者）に何れかの選択を求める。
【００６８】
そして、操作者が「プリンタ操作パネル表示」を選択すると、スキャナＳＣ１の第２の操作パネル２００は、図５に示すように、プリンタ操作パネルのイメージ画像Ｇを表示する。
【００６９】
プリンタＰＲ１には、スキャナＳＣ１側の操作パネル表示モードに変更されたことを通知する。
【００７０】
プリンタＰＲ１は、制御部１０４において、スキャナＳＣ１の第２の操作パネル２００によってプリンタＰＲ１自身の操作がエミュレーションされることを認識すると、プリンタＰＲ１の第１の操作パネル１００のキー入力を受け付けないように排他制御を行う。
【００７１】
この後、スキャナＳＣ１側で表示されているプリンタイメージ上のキー操作情報は、プリンタＰＲ１側へ通知されると共に、プリンタＰＲ１側の表示情報は、スキャナＳＣ１側に通知され、スキャナＳＣ１側の第２の操作パネル２００上にプリンタ操作パネル表示部Ｇとして表示される（図５参照）。
【００７２】
なお、プリンタＰＲ１側からは、リモート操作パネルになっただけで、動作自体は変わらない。
【００７３】
図５において、操作者が、ガイド表示モードに切り替えると、操作パネルの使用法等のガイド表示が可能になる。
【００７４】
ガイド表示モードに移ると、スキャナＳＣ１は、操作者が、プリンタ操作パネル表示部Ｇ上のキーを押すと、サーバＳＡにアクセスし、プリンタ操作パネルのガイド情報を取得して、表示する。
【００７５】
図６に、メニューボタンを押した場合の画面表示例を示す。
【００７６】
これにより、ユーザマニュアル等に記載されている情報を参照できるようになり、操作ミスを防止して、利便性が向上される。
【００７７】
図４の選択メニューで、プリントサービスが選択された場合には、プリンタＰＲ１の第１の操作パネル１００では、操作が煩雑な項目が、ＧＵＩで操作できるようになる。
【００７８】
図７には、セキュリティプリントを行う場合の表示例を示す。
【００７９】
これによれば、１画面上で認証ＩＤの入力や文書選択ができるようになる。
【００８０】
図７の画面で認証ＩＤ等を入力した後、プリント実行ボタンを押すと、認証ＩＤ、文書名がプリンタＰＲ１に通知され、処理が行われる。
【００８１】
次に、図８から図１４のフローチャートを参照して、画像処理システムＳ１で実行される各種処理の処理手順について説明する。
【００８２】
まず、図８および図９のフローチャートを参照して、スキャナＳＣ１で実行される接続処理について説明する。
【００８３】
ステップＳ１０では、プリンタＰＲ１と接続されたか否かが判定され、「Ｎｏ」の場合には待機し、「Ｙｅｓ」の場合にはステップＳ１１に移行する。
【００８４】
ステップＳ１１では、プリンタ識別情報を要求してステップＳ１２に移行する。
【００８５】
ステップＳ１２では、識別情報は取得できたか否かが判定され、「Ｎｏ」の場合にはステップＳ１１に戻り、「Ｙｅｓ」の場合にはステップＳ１３に移行する。
【００８６】
ステップＳ１３では、プリンタ識別情報を解析してステップＳ１４に移行する。
【００８７】
ステップＳ１４では、操作パネル情報を有するプリンタか否かが判定され、「Ｙｅｓ」の場合にはステップＳ１５に移行し、「Ｎｏ」の場合には図９のステップＳ１６に移行する。
【００８８】
ステップＳ１５では、対応するプリンタ操作パネル情報はプリンタ内部にあるか否かが判定され、「Ｙｅｓ」の場合には本処理を終了し、「Ｎｏ」の場合には図９のステップＳ１７に移行する。
【００８９】
一方、ステップＳ１６では、サーバＳＡに接続してからステップＳ１７に移行する。
【００９０】
ステップＳ１７では、プリンタ操作パネル情報を要求し、ステップＳ１８では、プリンタ操作パネル情報の取得は完了したか否か判定される。
【００９１】
判定結果が「Ｎｏ」の場合には待機し、「Ｙｅｓ」の場合にはステップＳ１９に移行する。
【００９２】
ステップＳ１９では、プリンタ操作パネル情報を記憶部２０５に格納して処理を終了する。
【００９３】
次に、図１０のフローチャートを参照して、プリンタＰＲ１で実行される接続処理について説明する。
【００９４】
ステップＳ２０では、スキャナＳＣ１に接続されたか否かが判定され、「Ｎｏ」の場合には待機し、「Ｙｅｓ」の場合にはステップＳ２１に移行する。
【００９５】
ステップＳ２１では、識別情報要求はあるか否かが判定され、「Ｎｏ」の場合には待機し、「Ｙｅｓ」の場合にはステップＳ２２に移行して、プリンタ識別情報をスキャナＳＣ１に送信して処理を終了する。
【００９６】
次に、図１１のフローチャートを参照してプリンタＰＲ１の動作処理について説明する。
【００９７】
ステップＳ３０では、プリンタ操作パネル情報の要求はあるか否かが判定され、「Ｎｏ」の場合には処理を終了し、「Ｙｅｓ」の場合にはステップＳ３１に移行する。
【００９８】
ステップＳ３１では、プリンタ操作パネル情報はあるか否かが判定され、「Ｎｏ」の場合には処理を終了し、「Ｙｅｓ」の場合にはステップＳ３２に移行する。
【００９９】
ステップＳ３２では、プリンタ操作パネル情報をスキャナＳＣ１に送信して処理を終了する。
【０１００】
次に、図１２のフローチャートを参照してスキャナＳＣ１で実行される操作パネル表示選択メニュー処理について説明する。
【０１０１】
ステップＳ４０では、図４に例示する操作パネル選択メニューにおいて、スキャナパネル表示を選択したか否かが判定され、「Ｙｅｓ」の場合にはステップＳ４６に移行して、プリントサービス画面を表示して処理を終了する。
【０１０２】
一方、「Ｎｏ」の場合にはステップＳ４１に移行して、プリンタパネル表示を選択したか否かが判定され、「Ｙｅｓ」の場合にはステップＳ４２に移行して、プリンタ操作パネルイメージを表示してからステップＳ４３に移行し、プリンタＰＲ１に操作パネル切り替えを要求して処理を終了する。
【０１０３】
また、ステップＳ４１で「Ｎｏ」の場合には、ステップＳ４４に移行して、プリントサービスを選択したか否かが判定され、「Ｎｏ」の場合には処理を終了し、「Ｙｅｓ」の場合にはプリントサービス画面を表示して処理を終了する。
【０１０４】
これにより、画像処理システムＳ１のハードウェア資源を有効的に活用して利便性が向上される。
【０１０５】
次に、図１３のフローチャートを参照してスキャナＳＣ１で実行されるプリンタ操作パネル表示モード処理について説明する。
【０１０６】
ステップＳ５０では、キー入力が有るか否かが判定され、「Ｎｏ」の場合には処理を終了し、「Ｙｅｓ」の場合にはステップＳ５１に移行する。
【０１０７】
ステップＳ５１では、ガイド表示に切り替えか否かが判定され、「Ｙｅｓ」の場合にはステップＳ５２に移行して、ガイド表示モードに切り替えて処理を終了する。
【０１０８】
「Ｎｏ」の場合には、ステップＳ５３に移行して、押されたキーに対応した情報を操作キー情報から取り出して、プリンタＰＲ１に送信して処理を終了する。
【０１０９】
次に、図１４のフローチャートを参照してスキャナＳＣ１で実行されるガイド表示モード処理について説明する。
【０１１０】
ステップＳ６０では、キー入力が有るか否かが判定され、「Ｎｏ」の場合にはそのまま処理を終了し、「Ｙｅｓ」の場合には、ステップＳ６１に移行する。
【０１１１】
ステップＳ６１では、操作表示に切り替えか否かが判定され、「Ｙｅｓ」の場合にはステップＳ６５に移行して、操作表示モードに切り替えてから処理を終了する。
【０１１２】
また、「Ｎｏ」の場合には、ステップＳ６２に移行して、押されたキーに対応したガイド情報をサーバＳＡに要求してステップＳ６３に移行する。
【０１１３】
ステップＳ６３では、ガイド情報の取得が完了したか否かが判定され、「Ｎｏ」の場合には待機し、「Ｙｅｓ」の場合にはステップＳ６４に移行してガイド情報を表示して処理を終了する。
【０１１４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１１５】
また、プログラムを用いる場合には、ネットワークを介して提供し、或いはＣＤ−ＲＯＭ等の記録媒体に格納して提供することが可能である。
【０１１６】
即ち、画像処理プログラムを含む所定のプログラムを記録媒体としてのハードディスク等の記憶装置に記録する場合に限らず、当該所定のプログラムを次のようにして提供することも可能である。
【０１１７】
例えば、所定のプログラムをＲＯＭに格納しておき、ＣＰＵが、この所定のプログラムをこのＲＯＭから主記憶装置へローディングして実行するようにしてもよい。
【０１１８】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１１９】
さらには、画像処理装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１２０】
本発明による画像処理システムおよび表示制御プログラムは、複写装置、レーザプリンタ、フルカラープリンタ、複合機、ファクシミリ装置等に適用することができる。
【図面の簡単な説明】
【０１２１】
【図１】実施の形態に係る画像処理システムＳ１の構成を示す概略構成図である。
【図２】実施の形態に係る画像処理システムＳ１の機能構成を示す機能ブロック図である。
【図３】プリンタ操作パネル情報を例示する表である。
【図４】操作パネル選択メニューの表示例を示す説明図である。
【図５】プリンタ操作パネル表示の表示例を示す説明図である。
【図６】ガイド表示の表示例を示す説明図である。
【図７】セキュリティプリントの表示例を示す説明図である。
【図８】接続処理の処理手順を示すフローチャートである。
【図９】接続処理の処理手順を示すフローチャートである。
【図１０】接続処理の処理手順を示すフローチャートである。
【図１１】プリンタの動作処理の処理手順を示すフローチャートである。
【図１２】スキャナＳＣ１で実行される操作パネル表示選択メニュー処理の処理手順を示すフローチャートである。
【図１３】スキャナＳＣ１で実行されるプリンタ操作パネル表示モード処理の処理手順を示すフローチャートである。
【図１４】スキャナＳＣ１で実行されるガイド表示モード処理の処理手順を示すフローチャートである。
【符号の説明】
【０１２２】
Ｓ１  画像処理システム
ＰＲ１  プリンタ
ＳＡ  サーバ
Ｎ  ネットワーク
１００  第１の操作パネル
１０１  取得部
１０２  選択部
１０３  格納部
１０４  制御部
１０５  記憶部
ＳＣ１  スキャナ
２００  第２の操作パネル
２０１  取得部
２０２  選択部
２０３  格納部
２０４  制御部
２０５  記憶部
３００  ルーター
４００  ＵＳＢケーブル
Ｇ  プリンタ操作パネル表示部
【図１】
2010187226.tif 000003
【図２】
2010187226.tif 000004
【図３】
2010187226.tif 000005
【図４】
2010187226.tif 000006
【図５】
2010187226.tif 000007
【図６】
2010187226.tif 000008
【図７】
2010187226.tif 000009
【図８】
2010187226.tif 000010
【図９】
2010187226.tif 000011
【図１０】
2010187226.tif 000012
【図１１】
2010187226.tif 000013
【図１２】
2010187226.tif 000014
【図１３】
2010187226.tif 000015
【図１４】
2010187226.tif 000016